(57)【特許請求の範囲】
【請求項１】
白内障手術等において内容物が除去された水晶体嚢内に挿入される眼内レンズであって、
レンズからなる光学部と、該光学部の周縁部に設けられた複数のレンズ支持部とを備え、
前記レンズ支持部は、光学部の周縁部から光学部の周方向に沿って延びる態様で設けられ、少なくとも中間部が水晶体嚢の赤道部に係止され、
水晶体嚢の赤道部に係止される部分の少なくとも前側、外側および後側において、光学部の径方向に延びる態様の突出部がレンズ支持部の長さ方向に沿って複数設けられ、前記突出部の厚みが０．１ｍｍ〜１．０ｍｍで、隣接する前記突出部の間隔が０．２ｍｍ〜０．９ｍｍに形成され、互いに隣接する突出部の間に前房水が流入することを特徴とする眼内レンズ。
【請求項２】
前記レンズ支持部は、前記突出部の前後径が光学部の前後径よりも大きく形成されている請求項１に記載の眼内レンズ。
【請求項３】
前記レンズ支持部は、基端部の前後径が光学部の前後径よりも大きく形成されている請求項１または請求項２に記載の眼内レンズ。
【請求項４】
前記レンズ支持部は、各レンズ支持部を合わせて水晶体嚢の全周の７５％以上に亘って赤道部に係止されている請求項１から請求項３までのいずれかに記載の眼内レンズ。
【請求項５】
前記レンズ支持部は、隣接するレンズ支持部同士が周方向に互いに連結されたリング状に形成されている請求項１から請求項４までのいずれかに記載の眼内レンズ。
【請求項６】
前記レンズ支持部は、基端部の前側において、レンズ支持部の長さ方向に延びる態様の凹部が設けられ、該凹部内に前房水が流入する請求項１から請求項５までのいずれかに記載の眼内レンズ。
【請求項７】
前記レンズ支持部は、基端部の前側、外側および後側において、レンズ支持部の周方向に延びる態様の凹部が設けられ、該凹部内に前房水が流入する請求項１から請求項５までのいずれかに記載の眼内レンズ。
【請求項８】
前記レンズ支持部は、長さ方向に着脱可能に分割されている請求項１から請求項７までのいずれかに記載の眼内レンズ。
【請求項９】
前記レンズ支持部は、前記突出部の少なくとも前側および／または外側の周端部に凹凸が設けられている請求項１から請求項８までのいずれかに記載の眼内レンズ。
【請求項１０】
前記レンズ支持部は、前記突出部の前後径が０．８ｍｍ以上で、前記突出部の突出高さが０．２ｍｍ以上に形成されている請求項１から請求項９までのいずれかに記載の眼内レンズ。
【請求項１１】
前記レンズ支持部は、前記突出部の前後径が１．０ｍｍ〜２．０ｍｍで、前記突出部の突出高さが０．３ｍｍ〜０．８ｍｍに形成されている請求項１０に記載の眼内レンズ。
【発明の詳細な説明】
【技術分野】
【０００１】
本発明は、白内障手術等において水晶体嚢の前嚢が切開され、内容物が除去された水晶体嚢内に挿入される眼内レンズに関する。
【背景技術】
【０００２】
眼の水晶体に生じる病気には、主に加齢が原因となって混濁する白内障という病気があり、多くの患者がこの白内障を治療するための白内障手術を受けている。
【０００３】
現在、白内障手術は超音波水晶体乳化吸引術が主流であり、この超音波水晶体乳化吸引術は、２．４〜３．０ｍｍの小切開から、水晶体の前嚢に連続円形切開を作り、水晶体の濁った中身を超音波の振動と吸引を用いて除去し、透明な水晶体嚢だけにして、その水晶体嚢内に眼内レンズ（ＩＯＬ）を入れる術式である。
【０００４】
ところが、手術後に水晶体嚢内の前嚢と赤道部に存在する水晶体上皮細胞が増殖して水晶体嚢が濁る状態が発生することがあり、この状態が後発白内障と呼ばれる。特に、後嚢中央部に水晶体上皮細胞が入り込んで後嚢が濁ると視力障害が発生する。この水晶体上皮細胞は、特に前嚢側赤道部と中央赤道部で分裂・増殖能が大きいことが知られている。
【０００５】
この後発白内障に対して、眼内レンズの光学部や支持部の辺縁部の後嚢側に角度をつけた形状（シャープエッジ形状）を採用して、その角の所で水晶体嚢に急で連続的な屈曲部を作り、水晶体上皮細胞の後嚢中央部への侵入を防止することで後発白内障を抑制しようとする事が一般的に行われている（例えば、特許文献１参照）。
【０００６】
また、前嚢と後嚢が赤道部で癒着することで水晶体上皮細胞の増殖がはじまって後発白内障が発生すると言われており、水晶体嚢の赤道部近傍に厚みのある輪状のもの（赤道部リングと言われる）を設置して前嚢と後嚢の接着を防いで後発白内障を防止しようとするものもある（例えば、特許文献２参照）。また、この赤道部リングと光学部が一体となったディスク型眼内レンズも開発されている。さらに後発白内障の抑制効果を高めるため、シャープエッジをもった赤道部リングもある。
【０００７】
ところで、最近、前房水には後発白内障を抑制する効果があることが知られるようになってきた。後発白内障は、水晶体上皮細胞からサイトカイン等のケミカルメディエイター（化学伝達物質）が分泌されて水晶体上皮細胞の増殖のスイッチが入ることで始まるとされており、前房水が水晶体上皮細胞に流入することでこのサイトカインが洗い流されて、水晶体上皮細胞の増殖のスイッチが入らず、後発白内障が抑制される機序が考えられている。
【０００８】
一方、眼科医や患者が最も恐れる術後合併症の１つは術後細菌性眼内炎であり、術中に眼内にもち込まれた細菌が術後眼内で増殖して炎症を起こし、早期の処置を誤れば網膜に炎症が波及して失明することもある。この術後眼内炎を起こす詳細な原因は分かっていないが、図１１Ｂに示すように、眼内レンズ１００が挿入された直後から水晶体嚢の赤道部Ｓｅはふくらみを失い偏平になり、前嚢Ｓｆと後嚢Ｓｂは眼内レンズ１００の表面に接着し、眼内レンズ１００と後嚢Ｓｂの間にできる前房水Ｆの入り込まない一種の閉鎖空間Ｖが、細菌増殖の足場となることが考えられている。
【０００９】
すなわち、眼内レンズ１００の裏の洗浄が不十分で、血液や眼瞼からの分泌物や術中に使用される粘弾性物質がその閉鎖空間Ｖに残っている場合、前房水Ｆがその閉鎖空間Ｖに入り込めず、前房水Ｆ中に含まれるマクロファージなどの免疫系が働かないため、前述した血液や眼瞼からの分泌物などの中の細菌が閉鎖空間Ｖの中で増殖するのである。このため、眼内レンズと水晶体嚢Ｓが癒着しないようにして、前房水Ｆが眼内レンズの裏に入り込めるような空間（ルート）を確保するようにすれば、術後細菌性眼内炎の発生の抑制に効果があると考えられる。
【先行技術文献】
【特許文献】
【００１０】
【特許文献１】特開２００７−８９８１０号公報
【特許文献２】実開平５−５８１１８号公報
【発明の概要】
【発明が解決しようとする課題】
【００１１】
本発明は、上述の技術的背景に鑑みてなされたものであり、第１に、水晶体嚢の赤道部における水晶体上皮細胞の増殖を抑制し、水晶体上皮細胞の増殖に起因する後発白内障の発生を抑制することができ、第２に、術後細菌性眼内炎の発生を抑制することができる眼内レンズを提供することを目的とする。
【課題を解決するための手段】
【００１２】
本発明は、上記目的を達成するために、白内障手術等において内容物が除去された水晶体嚢内に挿入される眼内レンズであって、レンズからなる光学部と、該光学部の周縁部に設けられた複数のレンズ支持部とを備え、前記レンズ支持部は、光学部の周縁部から光学部の周方向に沿って延びる態様で設けられ、少なくとも中間部が水晶体嚢の赤道部に係止され、水晶体嚢の赤道部に係止される部分の少なくとも前側、外側および後側において、光学部の径方向に延びる態様の突出部がレンズ支持部の長さ方向に沿って複数設けられ、互いに隣接する突出部の間に前房水が流入することを特徴とする。
【００１３】
これによれば、前房水が互いに隣接する突出部の間の凹部に流入し、水晶体嚢の前嚢側赤道部、中央赤道部および後嚢側赤道部に接しながら順に凹部内を流れることにより、水晶体嚢の赤道部に残留する水晶体上皮細胞から分泌され、水晶体上皮細胞の増殖を促すサイトカイン等の化学伝達物質を洗い流すことができる。このため、水晶体嚢の赤道部における水晶体上皮細胞の増殖を抑制し、水晶体上皮細胞の増殖に起因する後発白内障の発生を抑制することが可能となる。
【００１４】
また、前房水は、隣接する突出部の間の凹部内を流れたあと、後嚢側にすみやかに流出することができる。このため、前房水が、細菌増殖の足場となる眼内レンズの裏面と後嚢の間の空間に流入しやすくなり、術後細菌性眼内炎の発生を抑制することが可能となる。
【００１５】
また、前記レンズ支持部は、前記突出部の前後径が光学部の前後径よりも大きく形成されているのが好ましい。これによれば、レンズ支持部の突出部が水晶体嚢の赤道部を前後に十分に開いて、前嚢と後嚢の癒着や眼内レンズと水晶体嚢の癒着を防止することができる。このため、前房水がレンズ支持部の隣接する突出部の間を通ってより広い範囲の水晶体嚢の赤道部に接することになり、より効果的に後発白内障を抑制することが可能となる。また、前房水が眼内レンズの裏面と後嚢の間の空間に流入しやすくなり、より効果的に術後細菌性眼内炎の発生を抑制することが可能となる。
【００１６】
また、前記レンズ支持部は、基端部の前後径が光学部の前後径よりも大きく形成されているのが好ましい。これによれば、レンズ支持部の基端部が水晶体嚢の赤道部を前後に十分に開いて、前嚢と後嚢の癒着や眼内レンズと水晶体嚢の癒着を防止することができる。このため、前房水がレンズ支持部の隣接する突出部の間を通ってより広い範囲の水晶体嚢の赤道部に接することになり、より効果的に後発白内障を抑制することが可能となる。また、前房水が眼内レンズの裏面と後嚢の間の空間に流入しやすくなり、より効果的に術後細菌性眼内炎の発生を抑制することが可能となる。
【００１７】
また、前記レンズ支持部は、各レンズ支持部を合わせて水晶体嚢の全周の７５％以上に亘って赤道部に係止されているのが好ましい。特に、前記レンズ支持部は、隣接するレンズ支持部同士が周方向に互いに連結されたリング状に形成されているのが好ましい。これによれば、眼内レンズを確実に水晶体嚢に係止させることができると共に、水晶体嚢の赤道部における前嚢と後嚢の間の癒着をより確実に防止することができ、前房水がレンズ支持部の隣接する突出部の間を通って広い範囲で水晶体嚢の赤道部に接することが可能となる。
【００１８】
また、前記レンズ支持部は、基端部の前側において、該レンズ支持部の長さ方向に延びる態様の凹部が設けられ、該凹部内に前房水が流入するが好ましい。これによれば、前房水が水晶体嚢の前嚢に接することにより、水晶体嚢の前嚢に残留する水晶体上皮細胞から分泌され、水晶体上皮細胞の増殖を促すサイトカイン等の化学伝達物質を洗い流すことができる。
【００１９】
また、前記レンズ支持部は、基端部の前側、外側および後側において、レンズ支持部の周方向に延びる態様の凹部が設けられ、該凹部内に前房水が流入するのが好ましい。これによれば、前房水が基端部近傍の水晶体嚢の前嚢および赤道部に接することにより、基端部近傍の水晶体嚢の前嚢および赤道部に残留する水晶体上皮細胞から分泌され、水晶体上皮細胞の増殖を促すサイトカイン等の化学伝達物質を洗い流すことができる。
【００２０】
また、前記レンズ支持部は、長さ方向に着脱可能に分割されてもよい。これによれば、術前の超音波生体顕微鏡（ＵＢＭ）や光干渉断層計（ＯＣＴ）による計測で予想した水晶体嚢の大きさに合わせて術前にレンズ支持部の長さを変えることができるため、より安定して眼内レンズを水晶体嚢内に係止させることができる。
【００２１】
また、前記レンズ支持部は、前記突出部の少なくとも前側および／または外側の周端部に凹凸が設けられているのが好ましい。これによれば、水晶体嚢の赤道部と突出部の周端部との間に空間が形成されるため、前房水が水晶体嚢の赤道部に接し易くなる。
【００２２】
また、前記レンズ支持部は、前記突出部の前後径が０．８ｍｍ以上で、前記突出部の突出高さが０．２ｍｍ以上に形成されているのが好ましい。特に、前記レンズ支持部は、前記突出部の前後径が１．０ｍｍ〜２．０ｍｍで、前記突出部の突出高さが０．３ｍｍ〜０．８ｍｍに形成されているのが好ましい。これによれば、前房水が隣接する突出部の間に確実に流入することができる。また、突出部が水晶体嚢の赤道部を前後に確実に開いて、水晶体嚢の前嚢と後嚢の癒着や水晶体嚢と眼内レンズの癒着を確実に防ぐことができる。
【００２３】
また、前記レンズ支持部は、前記突出部の厚みが１．０ｍｍ以下で、隣接する前記突出部の間隔が０．２ｍｍ以上に形成されているのが好ましい。特に、前記突出部の厚みが０．１ｍｍ〜０．５ｍｍで、隣接する前記突出部の間隔が０．３ｍｍ〜０．９ｍｍに形成されているのが好ましい。これによれば、水晶体嚢の赤道部と突出部の接触面積が小さくなるため、前房水が水晶体嚢の赤道部に広い範囲で接することができる。また、眼内レンズをインジェクタで眼内に挿入する場合に、インジェクタ内で小さく折り畳み易くなり、折り畳んだ眼内レンズを挿入する切開創をより小さくすることができる。
【発明の効果】
【００２４】
本発明によれば、前房水が互いに隣接する突出部の間に流入し、水晶体嚢の前嚢側赤道部、中央赤道部および後嚢側赤道部を順に接することにより、水晶体嚢の赤道部に残留する水晶体上皮細胞から分泌され、水晶体上皮細胞の増殖を促すサイトカイン等の化学伝達物質を洗い流すことができる。このため、水晶体嚢の赤道部における水晶体上皮細胞の増殖を抑制し、水晶体上皮細胞の増殖に起因する後発白内障の発生を抑制することが可能となる。
【００２５】
また、前房水は、隣接する突出部の間に流入したあと後嚢側にすみやかに流出することができる。このため、前房水が細菌増殖の足場となる眼内レンズの裏面と後嚢の間の空間に流入しやすくなり、術後細菌性眼内炎の発生を抑制することが可能となる。
【図面の簡単な説明】
【００２６】
【図１】第１の実施形態に係る眼内レンズの平面図である。
【図２】図１の眼内レンズの側面図である。
【図３】図１の眼内レンズの縦断面図である。
【図４】図１のレンズ支持部の拡大平面図である。
【図５】図４のレンズ支持部のＶ−Ｖ線断面矢視図である。
【図６】図１のレンズ支持部の拡大縦断面図である。
【図７】図１の眼内レンズのレンズ支持部の変形例を示す平面図である。
【図８】図１の眼内レンズの突出部の変形例を示す縦断面図である。
【図９】図１の眼内レンズのレンズ支持部の変形例を示す拡大平面図である  。
【図１０】第２の実施形態に係る眼内レンズの平面図である。
【図１１】水晶体嚢における前房水の流れを示す説明図である。
【発明を実施するための形態】
【００２７】
＜第１の実施形態＞
次に、本発明に係る眼内レンズの第１の実施形態について図１〜図６を参照しつつ説明する。  
【００２８】
本実施形態に係る眼内レンズ１は、白内障手術等において内容物が除去された水晶体嚢Ｓ内に前嚢Ｓｆの切開部Ｏｐから挿入されるものである。この眼内レンズ１は、図１に示すように、レンズからなる光学部１０と、光学部１０の周縁部に設けられた３個のレンズ支持部２０とを備える。
【００２９】
前記光学部１０は、図１に示すように、平面視円形の凸レンズ状に形成され、シリコン、アクリル、ハイドロジェル、ＰＭＭＡ、ＨＥＭＡ、あるいはヒドロ・ポリマー等の合成樹脂素材からなる。光学部１０の直径は、５．０ｍｍ〜６．５ｍｍ、前後径は、０．４ｍｍ〜０．７ｍｍに形成されている。
【００３０】
前記レンズ支持部２０は、図１に示すように、光学部１０の周縁部において周方向に等間隔に設けられ、光学部１０の中心に対して点対称の配置構成となっている。これら各レンズ支持部２０は、光学部１０とほぼ同一平面上に設けられ、光学部１０の周縁部に接続された基端部２１から中間部２２、先端部２３にかけて、光学部１０の周囲において周方向に沿って延びる態様に形成されている。また、このレンズ支持部２０は、シリコン、アクリル、ＰＭＭＡ、ポリイミド、ポリフッ化ビニリデン、ＨＥＭＡ、あるいはポリプロピレン等の合成樹脂製からなる。
【００３１】
また、前記レンズ支持部２０は、眼内レンズ１が水晶体嚢Ｓ内に挿入された際、中間部２２および先端部２３が水晶体嚢Ｓの赤道部Ｓｅに係止される。これにより光学部１０は、水晶体嚢Ｓの赤道部Ｓｅに３個のレンズ支持部２０を介して支持され、水晶体嚢Ｓ内で前嚢Ｓｆおよび後嚢Ｓｂに略平行な状態となる。特に本実施形態では、レンズ支持部２０は、各レンズ支持部２０を合わせて水晶体嚢Ｓの全周の７５％以上に亘って赤道部Ｓｅに係止されているため、光学部１０は安定良く支持され得るとともに、水晶体嚢Ｓの赤道部Ｓｅにおける前嚢Ｓｆと後嚢Ｓｂの間の癒着をより確実に防ぐことができ、後述するように、前房水Ｆがレンズ支持部２０の隣接する突出部２１０の間を通って広い範囲で水晶体嚢Ｓの赤道部Ｓｅに接することが可能となる。
【００３２】
なお、レンズ支持部２０は、基端部２１が光学部１０の周縁部に向かうに従って幅広に形成されている。このためレンズ支持部２０の中間部２２および先端部２３が水晶体嚢Ｓの赤道部Ｓｅから比較的大きな力を受けても、基端部２１が不必要に屈曲することを防止できる。
【００３３】
また、各レンズ支持部２０は、図１〜図５に示すように、レンズ支持部２０の長さ方向に延びる支持部本体２００と、該支持部本体２００に設けられた６個の突出部２１０とを備える。                                      
【００３４】
前記支持部本体２００は、光学部１０の周囲において光学部１０の周方向に沿って緩やかに湾曲するように形成されている。また、この支持部本体２００は、図６に示すように、断面が光学部１０の径方向に長い長円状に形成されている。
【００３５】
前記突出部２１０は、支持部本体２００の長さ方向に沿って所定の間隔で並んで設けられている。具体的には、この突出部２１０は、支持部本体２００の周面から直角に突出し、断面が光学部１０の厚み方向（前後方向）に長い環状に形成されている。
【００３６】
また、前記突出部２１０は、図６に示すように、眼内レンズ１が水晶体嚢Ｓ内に挿入された際、前側（図６の上側）が水晶体嚢Ｓの前嚢側赤道部Ｓｅ１に接触し、外側（図６の左側）が水晶体嚢Ｓの中央赤道部Ｓｅ２に接触し、後側（図６の下側）が水晶体嚢Ｓの後嚢側赤道部Ｓｅ３に接触する。
また、隣り合う突出部２１０同士の間には、前房水Ｆが流入するための凹部２２０が形成されている。この凹部２２０は、レンズ支持部２０の周面に設けられた断面コ字状の溝であって、隣り合う突出部２１０の対向する側面を両側面２２１、２２２、支持部本体２００の周面を底面２２３として、レンズ支持部２０の周面を一周して延びる溝として形成される。よって、前房水Ｆは、凹部２２０内に流入したあと、前嚢側赤道部Ｓｅ１、中央赤道部Ｓｅ２および後嚢側赤道部Ｓｅ３を接しながら凹部２２０内を順に流れたあと、後嚢Ｓｂ側に流出することができる。
【００３７】
また、前記突出部２１０は、図３〜図５に示すように、前後径Ｌが光学部１０の前後径よりも大きく形成されている。具体的には、突出部２１０の前後径Ｌが０．８ｍｍ以上、突出部２１０の突出高さが０．２ｍｍ以上に形成されている。特に好ましくは、突出部２１０の前後径Ｌが１．０ｍｍ〜２．０ｍｍで、突出部２１０の突出高さが０．３ｍｍ〜０．８ｍｍに形成されている。これによれば、突出部２１０が水晶体嚢Ｓの赤道部Ｓｅを前後に十分に開いて、水晶体嚢Ｓの前嚢Ｓｆと後嚢Ｓｂの癒着や水晶体嚢Ｓと眼内レンズ１の癒着を防ぐことができる。なお、本明細書において、突出部２１０の前後径とは、突出部２１０の前端部から後端部までの長さをいう。
【００３８】
また、前記突出部２１０は、厚みが１．０ｍｍ以下で、隣接する突出部２１０の間隔が０．２ｍｍ以上に形成されている。特に好ましくは、突出部２１０の厚みが０．１ｍｍ〜０．５ｍｍで、隣接する突出部２１０の間隔が０．３ｍｍ〜０．９ｍｍに形成されている。これによれば、水晶体嚢Ｓの前嚢側赤道部Ｓｅ１と突出部２１０の接触面積が小さくなるため、前房水Ｆが水晶体嚢Ｓの赤道部Ｓｅに広い範囲で接することができる。また、眼内レンズ１をインジェクタで眼内に挿入する場合に、インジェクタ内で小さく折り畳み易くなり、折り畳んだ眼内レンズ１を挿入する切開創をより小さくすることができる。
【００３９】
次に、眼内レンズ１を使用した後発白内障および術後細菌性眼内炎の抑制のメカニズムについて説明する。
【００４０】
本発明の眼内レンズ１を挿入した水晶体嚢Ｓ内に挿入した白内障手術の術後において、図１１Ａに示すように、まず、毛様体Ｃから分泌された前房水Ｆは、水晶体嚢Ｓと虹彩Ｉの間を通過し、水晶体嚢Ｓの前嚢Ｓｆの内側に到達する。そして、前房水Ｆは、一部が虹彩Ｉの上側に流れる一方、一部が水晶体嚢Ｓの前嚢Ｓｆの切開部Ｏｐから水晶体嚢Ｓ内に流入したあと、光学部１０の径方向外側に流れる。
【００４１】
而して、前房水Ｆは、突出部２１０の間の凹部２２０内に流入し、前嚢側赤道部Ｓｅ１、中央赤道部Ｓｅ２および後嚢側赤道部Ｓｅ３を接しながら凹部２２０内を順に流れる。よって、水晶体嚢Ｓの赤道部Ｓｅに残留する水晶体上皮細胞から分泌され、水晶体上皮細胞の増殖を促すサイトカイン等の化学伝達物質を洗い流すことができる。このため、水晶体嚢Ｓの赤道部Ｓｅにおける水晶体上皮細胞の増殖を抑制し、水晶体上皮細胞の増殖に起因する後発白内障の発生を抑制することが可能となる。
【００４２】
また、前房水Ｆは、隣接する突出部２１０の間の凹部２２０内を流れたあと、後嚢Ｓｂ側にすみやかに流出する。このため、前房水Ｆが細菌増殖の足場となる眼内レンズ１の光学部１０の裏面と後嚢Ｓｂの間の空間Ｖに流入しやすくなり、術中に空間Ｖに細菌が持ち込まれた場合でも、流入した前房水Ｆに含まれるマクロファージなどの免疫系が細菌を死滅させるため、術後細菌性眼内炎の発生を防止することが可能となる。
【００４３】
なお、後嚢Ｓｂ側に流出した前房水Ｆの一部は、再びレンズ支持部２０の凹部２２０内に逆流入したあと、水晶体嚢Ｓから流出して、虹彩Ｉの上側を流れるなどして、水晶体嚢Ｓ内を循環する。
【００４４】
なお、本実施形態では、レンズ支持部２０は、長さ方向に連続的に一体のものに形成したが、図７に示すように、長さ方向に着脱可能に分割されていてもよい。これによれば、術前の超音波生体顕微鏡（ＵＢＭ）や光干渉断層計（ＯＣＴ）による計測で予想した水晶体嚢Ｓの大きさに合わせて術前にレンズ支持部２０の長さを変えることができるため、より安定して眼内レンズ１を水晶体嚢Ｓ内に係止させることができる。
【００４５】
また、レンズ支持部２０は、図８Ａに示すように、突出部２１０の前側や外側の周端部２１１に微細な凹凸が設けられてもよい。また、図８Ｂに示すように、突出部２１０の周端部２１１の全周に亘って微細な凹凸が設けられてもよい。これによれば、水晶体嚢Ｓの赤道部Ｓｅと突出部２１０の周端部２１１との間に空間が形成されるため、前房水Ｆが水晶体嚢Ｓの赤道部Ｓｅに流入しやすくなる。
【００４６】
また、前記レンズ支持部２０は、図９Ａに示すように、基端部２１の前側において、レンズ支持部２０の長さ方向に延びる第２の凹部２５０が設けられてもよい。これによれば、前房水Ｆが水晶体嚢Ｓの前嚢Ｓｆに接することにより、水晶体嚢Ｓの前嚢Ｓｆに残留する水晶体上皮細胞から分泌され、水晶体上皮細胞の増殖を促すサイトカイン等の化学伝達物質を洗い流すことができる。
【００４７】
また、前記レンズ支持部２０は、図９Ｂに示すように、基端部２１の前側、外側および後側において、レンズ支持部２０の周方向に延びる第２の凹部２６０が設けられてもよい。これによれば、前房水Ｆが基端部２１近傍の水晶体嚢Ｓの前嚢Ｓｆおよび赤道部Ｓｅに接することにより、基端部２１近傍の水晶体嚢Ｓの前嚢Ｓｆおよび赤道部Ｓｅに残留する水晶体上皮細胞から分泌され、水晶体上皮細胞の増殖を促すサイトカイン等の化学伝達物質を洗い流すことができる。
【００４８】
また、レンズ支持部２０は、基端部２１の前後径が光学部１０の前後径よりも大きく形成されてもよい。これによれば、レンズ支持部２０の基端部２１が水晶体嚢Ｓの赤道部Ｓｅを前後に十分に開いて、前嚢Ｓｆと後嚢Ｓｂの癒着や眼内レンズ１と水晶体嚢Ｓの癒着を防止することができる。このため、前房水Ｆがレンズ支持部２０の隣接する突出部２１０の間を通って、より広い範囲の水晶体嚢の赤道部Ｓｅに接することになり、より効果的に後発白内障を抑制することが可能となる。また、前房水Ｆが眼内レンズ１の裏面との後嚢Ｓｂとの間の空間Ｖに流入しやすくなり、より効果的に術後細菌性眼内炎の発生を抑制することが可能となる。
【００４９】
また、突出部２１０は、環状に形成されるものとしたが、水晶体嚢Ｓの前嚢側赤道部Ｓｅ１、中央赤道部Ｓｅ２および後嚢側赤道部Ｓｅ３に接するものであれば、その他の形状に形成されてもよい。
【００５０】
また、レンズ支持部２０は、光学部１０を前後に移動させることにより焦点調節可能なものであってもよい。具体的には、レンズ支持部２０は、基端部２１が光学部１０の周縁部に可動可能な状態で接続されるとともに、中間部２２が水晶体嚢Ｓの赤道部Ｓｅに係止され、水晶体嚢Ｓの赤道部Ｓｅの径方向外側に広がる度合いに応じてレンズ支持部２０の中間部２２が近接離間方向に移動することにより、基端部２１に接続された光学部１０が前後方向に移動するものであってもよい。    
【００５１】
＜第２の実施形態＞
次に、本発明に係る眼内レンズの第２の実施形態について図１０を参照しつつ説明する。なお、以下では上記の実施形態と異なる構成についてのみ説明することとし、同一の構成については説明を省略して同一の符号を付すこととする。
【００５２】
本実施形態の眼内レンズ２では、前記レンズ支持部２０は、図１０に示すように、隣接するレンズ支持部２０同士が周方向に互いに連結されたリング状に形成されている。これによれば、レンズ支持部２０が水晶体嚢Ｓの赤道部Ｓｅの全周に亘って係止されるため、水晶体嚢Ｓの赤道部Ｓｅを全周に亘って確実に拡張して、前嚢Ｓｆと後嚢Ｓｂの癒着や眼内レンズ２と水晶体嚢Ｓとの癒着を防ぎ、前房水Ｆが前嚢Ｓｆ、水晶体嚢Ｓの赤道部Ｓｅおよび後嚢Ｓｂにより確実に接することができ、より効果的に後発白内障や細菌性眼内炎の発生を抑制することが可能となる。
【００５３】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００５４】
１…眼内レンズ
１０…光学部
２０…レンズ支持部
２１…基端部
２２…中間部
２３…先端部
２００…支持部本体
２１０…突出部
２１１…周端部
２２０…凹部
２５０、２６０…第２の凹部
Ｆ…前房水
Ｓｆ…前嚢
Ｓｂ…後嚢    
Ｓｅ…赤道部
Ｓｅ１…前嚢側赤道部
Ｓｅ２…中央赤道部
Ｓｅ３…後嚢側赤道部
Ｏｐ…前嚢の切開部
Ｌ…突出部の前後径
Ｖ…眼内レンズの裏面と後嚢の間の空間
【要約】
【課題】水晶体嚢の前嚢側赤道部及び中央赤道部における水晶体上皮細胞の増殖を抑制し、水晶体上皮細胞の増殖に起因する後発白内障の発生および術後細菌性眼内炎の発生を抑制することができる眼内レンズを提供する。
【解決手段】眼内レンズ１は、レンズからなる光学部１０と、光学部１０の周縁部に設けられた複数のレンズ支持部２０とを備え、レンズ支持部２０は、光学部１０の周縁部から光学部１０の周方向に沿って延びる態様で設けられる。中間部２２から先端部２３にかけて水晶体嚢の赤道部Ｓｅに係止され、水晶体嚢の赤道部Ｓｅに係止される部分の前側、外側および後側において、光学部１０の径方向に延びる態様の突出部２１０がレンズ支持部２０の長さ方向に沿って複数設けられ、互いに隣接する突出部２１０の間に前房水Ｆが流入して赤道部Ｓｅに接したあと、後嚢Ｓｂ側に流出するものとなされている。
【選択図】図１【図１】
0005770350.tif 000002
【図２】
0005770350.tif 000003
【図３】
0005770350.tif 000004
【図４】
0005770350.tif 000005
【図５】
0005770350.tif 000006
【図６】
0005770350.tif 000007
【図７】
0005770350.tif 000008
【図８】
0005770350.tif 000009
【図９】
0005770350.tif 000010
【図１０】
0005770350.tif 000011
【図１１】
0005770350.tif 000012